(57)【要約】【課題】スポイラを展開位置から格納位置へ移動する格納条件を安価な方法で検出することが可能な可動スポイラ装置を提供することを目的とする。【解決手段】車速毎の走行風圧による圧力を予め定めてＲＯＭ等に記憶しておき、制御装置が、スポイラを展開位置に移動した場合に、車速に対応する走行風圧による圧力を読み出し（１００〜１４）、走行風圧による圧力より高い圧力が圧力センサによって検出された場合に、制御装置がスポイラを格納位置へ移動するようにスポイラ駆動部を制御する（１０６、１０８）。【選択図】図４
2018070105.tif 000002
【特許請求の範囲】
【請求項１】
空力性能を向上させる予め定めた展開位置と、予め定めた格納位置とに移動可能に車両前側に設けられたスポイラを駆動する駆動部と、
前記スポイラの下端部に加わる車両前後方向の圧力を検出する検出部と、
前記検出部によって検出された圧力が、車速毎に予め定めた走行風圧による圧力よりも高い場合に、前記スポイラが前記格納位置へ移動するように前記駆動部を制御する制御部と、
を備えた可動スポイラ装置。
【発明の詳細な説明】
【技術分野】
【０００１】
本発明は、車両前側に設けられたスポイラを展開位置と格納位置とに移動可能に構成した可動スポイラ装置に関する。
【背景技術】
【０００２】
車両前側に設けたスポイラを展開位置と格納位置とに移動する可動スポイラ装置としては、例えば、特許文献１に記載の技術が提案されている。
【０００３】
特許文献１に記載の技術では、車両の横方向に延在するスポイラーリップと、スポイラーリップ用の空気式駆動装置とを有し、空気式駆動装置を用いて、スポイラーリップを格納静止位置と展開位置との間を移動させることが記載されている。
【先行技術文献】
【特許文献】
【０００４】
【特許文献１】特開２０１４−０８４１０４号公報
【発明の概要】
【発明が解決しようとする課題】
【０００５】
ところで、悪路走行時においてスポイラを展開位置へ移動すると、路面等との接触などによりスポイラやアクチュエータ等のスポイラ駆動部が破損する虞があるので、悪路走行時にはスポイラを格納位置に移動する必要がある。そのため、何らかの手段によりスポイラを展開位置から格納位置に移動するトリガーが必要となる。
【０００６】
本発明は、上記事実を考慮して成されたもので、スポイラを展開位置から格納位置へ移動するトリガーとなる構成を有する可動スポイラ装置を提供することを目的とする。
【課題を解決するための手段】
【０００７】
上記目的を達成するために請求項１に記載の発明は、空力性能を向上させる予め定めた展開位置と、予め定めた格納位置とに移動可能に車両前側に設けられたスポイラを駆動する駆動部と、前記スポイラの下端部に加わる車両前後方向の圧力を検出する検出部と、前記検出部によって検出された圧力が、車速毎に予め定めた走行風圧による圧力よりも高い場合に、前記スポイラが前記格納位置へ移動するように前記駆動部を制御する制御部と、を備える。
【０００８】
請求項１に記載の発明によれば、空力性能を向上させる予め定めた展開位置と、予め定めた格納位置とに移動可能に車両前側に設けられたスポイラが駆動部によって駆動される。すなわち、駆動部によってスポイラを展開位置と格納位置とへ移動することができる。
【０００９】
検出部では、スポイラの下端部に加わる車両前後方向の圧力が検出される。検出部は、例えば、圧力センサによってスポイラに入力される車両前後方向の圧力を検出する。
【００１０】
そして、制御部では、検出部によって検出された圧力が、車速毎に予め定めた走行風圧による圧力よりも高い場合に、スポイラが格納位置へ移動するように駆動部が制御される。すなわち、走行風圧による圧力以上の圧力がスポイラに入力される要因としては悪路走行時の路面との干渉が想定されるので、走行風圧による圧力以上の圧力の検出を、スポイラを展開位置から格納位置へ移動するトリガーとすることができる。よって、ポイラを展開位置から格納位置へ移動するトリガーとなる構成を有する可動スポイラ装置を提供することができる。
【発明の効果】
【００１１】
以上説明したように本発明によれば、スポイラを展開位置から格納位置へ移動するトリガーとなる構成を有する可動スポイラ装置を提供することができる、という効果がある。
【図面の簡単な説明】
【００１２】
【図１】本実施形態に係る可動スポイラ装置の概略車両搭載位置を示す斜視図である。
【図２】本実施形態に係る可動スポイラ装置の概略構成を示すブロック図である。
【図３】（Ａ）は図１のＡ−Ａ断面を示す断面図であり、（Ｂ）はスポイラが変形した様子を示す上面図である。
【図４】本実施形態に係る可動スポイラ装置の制御装置で行われる処理の流れの一例を示すフローチャートである。
【発明を実施するための形態】
【００１３】
以下、図面を参照して本発明の実施の形態の一例を詳細に説明する。図１は、本実施形態に係る可動スポイラ装置の概略車両搭載位置を示す斜視図である。図２は、本実施形態に係る可動スポイラ装置１０の概略構成を示すブロック図である。
【００１４】
本実施形態に係る可動スポイラ装置では、図１に示すように、車両のフロントバンパ３０の車両下側の位置に車幅方向に沿ってスポイラ１１が設けられている。スポイラ１１は、展開されて空力性能を向上させる予め定めた展開位置としてのフロントバンパ３０から車両下側へ突出した展開位置と、フロントバンパ３０内に格納した格納位置と、に移動可能に設けられている。例えば、展開位置は、図１の実線位置とし、格納位置は、図１の一点鎖線位置とする。スポイラ１１は、展開位置へ移動した場合、車両の下面へ流れる空気量を少なくして、車両を路面に押さえつける向きに力（所謂、ダウンフォース）が発生させる。
【００１５】
また、本実施形態に係る可動スポイラ装置１０は、スポイラ１１の展開位置と格納位置との移動を制御する制御部の一例としての制御装置１２を備えている。
【００１６】
制御装置１２は、ＣＰＵ１４、ＲＯＭ１６、ＲＡＭ１８、及びＩ／Ｏ２０を含むマイクロコンピュータで構成され、ＣＰＵ１４、ＲＯＭ１６、ＲＡＭ１８、及びＩ／Ｏ２０は、コマンド及びデータの各々を授受可能にバス２１を介して各々接続されている。
【００１７】
ＲＯＭ１６には、スポイラ１１の展開位置と格納位置との移動を制御するためのプログラム等が記憶され、ＲＯＭ１６に記憶されたプログラムをＣＰＵ１４が実行することによってスポイラ１１の制御が行われる。なお、ＲＡＭ１８は、プログラムを実行する際のキャッシュメモリ等として使用される。
【００１８】
Ｉ／Ｏ２０には、検出部の一例としての圧力センサ２２、車速センサ２４、及び駆動部の一例としてのスポイラ駆動部２６が接続されている。圧力センサ２２、及び車速センサ２４の各々は、車両の状態を検出するための検出器である。
【００１９】
圧力センサ２２は、本実施形態では、図３（Ａ）に示すように、スポイラ１１の下端部の車両後方側の面に設けられ、図３（Ｂ）に示すように、スポイラ１１へ入力される車両前後方向への圧力を検出する。なお、圧力センサ２２は、スポイラ１１の車両前側の面に設けてもよい。
【００２０】
スポイラ駆動部２６は、スポイラ１１の展開位置から格納位置への移動と、格納位置から展開位置への移動とを行う。スポイラ駆動部２６は、例えば、モータやソレノイド等のアクチュエータを適用することができ、アクチュエータを駆動することによってスポイラ１１を格納位置から展開位置への移動と、展開位置から格納位置への移動とを行う。
【００２１】
スポイラ１１は、車両上下方向に移動可能であり、スポイラ１１が最下部に下がった展開位置において車速が予め定めた速度以上の場合にダウンフォースを発生し、当該速度より遅い場合にはダウンフォースの発生が少ない。よって、制御装置１２は、例えば、予め定めた速度以上の場合に、スポイラ１１を展開位置に移動するようにスポイラ駆動部２６を制御する。なお、スイッチ等の操作によりスポイラ１１を展開位置または格納位置へ移動してもよい。
【００２２】
ところで、悪路走行時においてスポイラ１１を展開位置へ移動すると、路面等との接触などによりスポイラ１１やスポイラ駆動部２６が破損する虞があるので、悪路走行時にはスポイラ１１を格納位置に移動する必要がある。そのため、何らかの手段によりスポイラを展開位置から格納位置に移動するトリガーが必要となる。
【００２３】
例えば、悪路走行時の路面とのスポイラ１１の接触を検出するためにはカメラ等によって悪路を検出することが考えられるが、カメラよりも安価かつ簡易な方法で悪路走行等の格納位置へ移動する格納条件を検出することが望まれる。
【００２４】
そこで、本実施形態では、車速毎の走行風圧による圧力を制御装置１２に予め記憶しておく。そして、制御装置１２が、車速に対応する走行風圧による圧力を読み出し、読み出した圧力より高い圧力がスポイラ１１に入力された場合に、路面との干渉と判断してスポイラ１１を格納位置へ移動する制御を行う。すなわち、走行風圧による圧力以上の圧力がスポイラ１１に入力される要因としては悪路走行時の路面との干渉が想定されるので、走行風圧による圧力以上の圧力の検出を、スポイラ１１を展開位置から格納位置へ移動するトリガーとすることができる。これにより、カメラ等の高価な装置を設けることなく、悪路走行によるスポイラと路面との干渉を検出して、スポイラ１１を格納位置に移動することができる。
【００２５】
具体的には、車速毎の走行風圧による圧力を予め定めてＲＯＭ１６等に記憶しておき、制御装置１２が、スポイラ１１を展開位置に移動した場合に、車速に対応する走行風圧による圧力を読み出す。そして、制御装置１２が、圧力センサ２２によって走行風圧による圧力より高い圧力が検出された場合に、スポイラ１１を格納位置へ移動するように、スポイラ駆動部２６を制御する。
【００２６】
続いて、本実施形態に係る可動スポイラ装置１０の制御装置１２で実行される処理の一例について説明する。図４は、本実施形態に係る可動スポイラ装置１０の制御装置１２で行われる処理の流れの一例を示すフローチャートである。なお、本実施形態では、図４に示す処理の流れの一例を具現化した、ＲＯＭ１６に予め記憶されたプログラムを、制御装置１２が実行する。また、図４の処理は、スポイラ１１が展開位置に移動された場合に開始する。
【００２７】
スポイラ１１が展開位置に移動されると、ステップ１００では、ＣＰＵ１４が、車速センサ２４の検出結果を取得することにより車速を検出してステップ１０２へ移行する。
【００２８】
ステップ１０２では、ＣＰＵ１４が、検出した車速に対応する走行風圧による圧力をＲＯＭ１６から読み出してステップ１０４へ移行する。
【００２９】
ステップ１０４では、ＣＰＵ１４が、圧力センサ２２の検出結果を取得することにより、スポイラ１１に入力される圧力を検出してステップ１０６へ移行する。
【００３０】
ステップ１０６では、ＣＰＵ１４が、走行風圧による圧力より検出した圧力が大きいか否かを判定する。該判定が肯定された場合にはステップ１０８へ移行し、否定された場合にはステップ１１０へ移行する。
【００３１】
ステップ１０８では、ＣＰＵ１４が、スポイラ１１を格納位置に移動するようにスポイラ駆動部２６を制御することにより、スポイラ１１の格納作動を行って一連の処理を終了する。
【００３２】
一方、ステップ１１０では、ＣＰＵ１４が、スポイラ１１を格納位置へ移動する予め定めた移動条件が成立したか否かを判定する。例えば、車速が予め定めた車速未満になったか否かを判定し、該判定が肯定された場合にはステップ１０８へ移行し、否定された場合にはステップ１００に戻って上述の処理を繰り返す。
【００３３】
このように、本実施形態では、車速に対応する走行風圧による圧力より高い圧力がスポイラ１１に入力された場合に、スポイラ１１を格納位置へ移動するので、カメラ等の高価な装置を設けることなく、悪路走行によるスポイラと路面との干渉を検出して、スポイラ１１を格納位置に移動することができる。
【００３４】
なお、上記の実施形態では、車速が予め定めた速度以上であることをスポイラ１１を展開位置へ移動する条件の一例として説明したが、スポイラ１１の展開位置への移動条件はこれに限るものではない。例えば、スイッチの操作等の他の条件により展開位置と格納位置とに移動してもよい。
【００３５】
また、上記の実施形態における制御装置１２で行われる処理は、プログラムを実行することにより行われるソフトウエア処理として説明したが、ハードウエアで行う処理としてもよい。或いは、ソフトウエア及びハードウエアの双方を組み合わせた処理としてもよい。また、ＲＯＭに記憶されるプログラムは、各種記憶媒体に記憶して流通させるようにしてもよい。
【００３６】
さらに、本発明は、上記に限定されるものでなく、上記以外にも、その主旨を逸脱しない範囲内において種々変形して実施可能であることは勿論である。
【符号の説明】
【００３７】
１０    可動スポイラ装置
１１    スポイラ
１２    制御装置（制御部）
２２    圧力センサ（検出部）
２４    車速センサ
２６    スポイラ駆動部（駆動部）
【図１】
2018070105.tif 000003
【図２】
2018070105.tif 000004
【図３】
2018070105.tif 000005
【図４】
2018070105.tif 000006